【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
ポリマーと、
難燃剤と、
高アスペクト比粒状鉱物と、
を含む難燃性ポリマー組成物。
【請求項２】
前記ポリマーは、ポリアミドである、請求項１に記載の難燃性ポリマー組成物。
【請求項３】
前記ポリマーは、前記難燃性ポリマー組成物中に、該難燃性ポリマー組成物の全重量に対して少なくとも４０％の量で存在する、請求項１又は２に記載の難燃性ポリマー組成物。
【請求項４】
前記ポリマーは、前記難燃性ポリマー組成物中に、該難燃性ポリマー組成物の全重量に対して最大８０％までの量で存在する、請求項１〜３のいずれか一項に記載の難燃性ポリマー組成物。
【請求項５】
前記難燃剤は、粒状鉱物難燃剤、有機ハロゲン化合物、及び／又は含リン化合物である、請求項１〜４のいずれか一項に記載の難燃性ポリマー組成物。
【請求項６】
前記難燃剤は、膨張性難燃剤である、請求項１〜５のいずれか一項に記載の難燃性ポリマー組成物。
【請求項７】
前記難燃剤は、赤リン、ホスフェート、ポリホスフェート、有機ホスフェート、ホスホネート、ホスフィネート、ハロゲン化有機ホスフェート、ホスファゼン、ポリホスファゼン、トリアジン、又はそれらの１種以上の組み合わせである、請求項１〜６のいずれか一項に記載の難燃性ポリマー組成物。
【請求項８】
前記難燃剤は、前記難燃性ポリマー組成物中に、該難燃性ポリマー組成物の全重量の少なくとも５重量％の量で存在する、請求項１〜７のいずれか一項に記載の難燃性ポリマー組成物。
【請求項９】
前記難燃剤は、前記難燃性ポリマー組成物中に、該難燃性ポリマー組成物の全重量の最大４０重量％までの量で存在する、請求項１〜８のいずれか一項に記載の難燃性ポリマー組成物。
【請求項１０】
前記補強材は、ガラス繊維、炭素繊維、又はそれらの組み合わせである、請求項１〜９のいずれか一項に記載の難燃性ポリマー組成物。
【請求項１１】
前記ガラス繊維は、３ｍｍから８ｍｍまでの範囲の繊維長さ、及び／又は６μｍから２０μｍまでの範囲の繊維直径を有する、請求項１〜１０のいずれか一項に記載の難燃性ポリマー組成物。
【請求項１２】
前記補強材は、前記難燃性ポリマー組成物中に、該難燃性ポリマー組成物の全重量に対して少なくとも１％の量で存在する、請求項１〜１１のいずれか一項に記載の難燃性ポリマー組成物。
【請求項１３】
前記補強材は、前記難燃性ポリマー組成物中に、該難燃性ポリマー組成物の全重量に対して最大５０％までの量で存在する、請求項１〜１２のいずれか一項に記載の難燃性ポリマー組成物。
【請求項１４】
前記高アスペクト比粒状鉱物は、タルク、雲母、ウォラストナイト、ハロイサイト、カオリン、ベントナイト、パーライト、及びそれらの１種以上の組み合わせから選択される、請求項１〜１３のいずれか一項に記載の難燃性ポリマー組成物。
【請求項１５】
前記高アスペクト比粒状鉱物は、ウォラストナイトである、請求項１〜１４のいずれか一項に記載の難燃性ポリマー組成物。
【請求項１６】
前記高アスペクト比粒状鉱物は、５から１５０までの範囲のアスペクト比を有する、請求項１〜１５のいずれか一項に記載の難燃性ポリマー組成物。
【請求項１７】
前記高アスペクト比粒状鉱物は、０．５μｍから２００μｍまでの範囲のｄ５０（ｌａｓｅｒ）を有する、請求項１〜１６のいずれか一項に記載の難燃性ポリマー組成物。
【請求項１８】
前記高アスペクト比粒状鉱物は、３μｍから４００μｍまでの範囲のｄ９５（ｌａｓｅｒ）を有する、請求項１〜１７のいずれか一項に記載の難燃性ポリマー組成物。
【請求項１９】
前記高アスペクト比粒状鉱物は、０．５ｍ２／ｇから３０ｍ２／ｇまでの範囲のＢＥＴ表面積を有する、請求項１〜１８のいずれか一項に記載の難燃性ポリマー組成物。
【請求項２０】
前記高アスペクト比粒状鉱物は、２．８以上、３．５以上のラメラリティーインデックスを有するタルクである、請求項１〜１９のいずれか一項に記載の難燃性ポリマー組成物。
【請求項２１】
前記高アスペクト比粒状鉱物は、０．５μｍ以上、１μｍ以上、又は１．５μｍ以上のｄ５０（ｓｅｄｉｇｒａｐｈ）を有するタルクである、請求項１〜２０のいずれか一項に記載の難燃性ポリマー組成物。
【請求項２２】
前記高アスペクト比粒状鉱物は、２０μｍ以下、１０μｍ以下、又は５μｍ以下のｄ５０（ｓｅｄｉｇｒａｐｈ）を有するタルクである、請求項１〜２１のいずれか一項に記載の難燃性ポリマー組成物。
【請求項２３】
前記高アスペクト比粒状鉱物は、前記難燃性ポリマー組成物中に、該難燃性ポリマー組成物の全重量の少なくとも５重量％の量で存在する、請求項１〜２２のいずれか一項に記載の難燃性ポリマー組成物。
【請求項２４】
前記高アスペクト比粒状鉱物は、前記難燃性ポリマー組成物中に、該難燃性ポリマー組成物の全重量の最大２５重量％までの量で存在する、請求項１〜２３のいずれか一項に記載の難燃性ポリマー組成物。
【請求項２５】
前記難燃性ポリマー組成物は、ＵＬ９４に従って測定した場合のＶ−２以上の難燃性等級を有する、請求項１〜２４のいずれか一項に記載の難燃性ポリマー組成物。
【請求項２６】
前記難燃性ポリマー組成物は、前記高アスペクト比粒状鉱物を含まないことを除いて同一であるか、又は前記高アスペクト比粒状鉱物の代わりに追加量の補強材を含むことを除いて同一である比較組成物の難燃性等級以上である難燃性等級を有する、請求項１〜２５のいずれか一項に記載の難燃性ポリマー組成物。
【請求項２７】
前記難燃性ポリマー組成物は、２０００ＭＰａから１６０００ＭＰａまでの範囲の曲げ弾性率を有する、請求項１〜２６のいずれか一項に記載の難燃性ポリマー組成物。
【請求項２８】
前記難燃性ポリマー組成物は、前記高アスペクト比粒状鉱物を含まないことを除いて同一であるか、又は前記高アスペクト比粒状鉱物の代わりに追加量の補強材を含むことを除いて同一である比較組成物の曲げ弾性率の２０％の範囲内である曲げ弾性率を有する、請求項１〜２７のいずれか一項に記載の難燃性ポリマー組成物。
【請求項２９】
前記難燃性ポリマー組成物は、１００ｍｍから１０００ｍｍまでの範囲のスパイラルフロー長さを有する、請求項１〜２８のいずれか一項に記載の難燃性ポリマー組成物。
【請求項３０】
前記難燃性ポリマー組成物は、前記高アスペクト比粒状鉱物を含まないことを除いて同一であるか、又は前記高アスペクト比粒状鉱物の代わりに追加量の補強材を含むことを除いて同一である比較組成物のスパイラルフロー長さ以上であるスパイラルフロー長さを有する、請求項１〜２９のいずれか一項に記載の難燃性ポリマー組成物。
【請求項３１】
請求項１〜３０のいずれか一項に記載の難燃性ポリマー組成物からできた物品及び／又は該難燃性ポリマー組成物を含む物品。
【請求項３２】
前記物品は、請求項１〜３０のいずれか一項に記載の難燃性ポリマー組成物中で被覆された車両部品又は電線である、請求項３６に記載の物品。
【請求項３３】
請求項１〜３０のいずれか一項に記載の難燃性ポリマー組成物を製造する方法であって、前記ポリマーと、前記難燃剤と、前記高アスペクト比粒状鉱物とを混合することを含む、方法。
【請求項３４】
補強材を更に含む、請求項１〜３０のいずれか一項に記載の難燃性ポリマー組成物。
【請求項３５】
補強材を、前記ポリマーと、前記難燃剤と、前記高アスペクト比粒状鉱物とに混合することを更に含む、請求項３３に記載の難燃性ポリマー組成物を製造する方法。